(57)【要約】【課題】ＩＰネットワークに接続できないサービス事業者でも、希望する任意の加入者に自身のサービスを提供できるＩＰ電話付加サービス提供方法を提供する。【解決手段】電話網１２０に接続された端末２０からＩＰ端末１０に発信すると、交換機１３０はＩＰ電話番号からゲートウェイ５０に接続する。ゲートウェイ５０はＩＰ電話番号をドメイン名に変換し、ＤＮＳサーバ３０から検索したサービス事業者のＵＲＩを取得し、そのＵＲＩを基にＤＮＳサーバ３０からサービス事業者のＳＩＰサーバ６０のＩＰアドレスとポート番号を取得し、ＳＩＰサーバ７０に接続する。ＳＩＰサーバ７０は、ＩＰアドレスとポート番号に従い、登録内容を参照し、認証がＯＫならばアプリケーション（ＡＰ）サーバ８０に制御を渡し、ＡＰサーバ８０によって該当のサービス（接続、着信拒否等）をＩＰ端末１０に提供する。【選択図】        図１
2004336663.tif 000002
【特許請求の範囲】
【請求項１】
ＩＰ電話サービスを表すＩＰ電話サービス情報を記憶する第１の記憶手段を有するアプリケーションサーバと、第１のＳＩＰサーバと、ＩＰ電話サービスを利用する利用者のサービス利用条件を記憶する第２の記憶手段及び利用者を認証する認証手段を有することで各利用者のサービス利用状況を管理する管理サーバとを有し、ＩＰ電話サービスを利用者に提供するためのサーバシステムを形成しており、
ＤＮＳサーバと、利用者の有するＩＰ通信端末と、第２のＳＩＰサーバは各々ＩＰネットワークと接続しており、ＩＰ電話サービス情報を送受信するためのＩＰネットワークシステムを形成しており、
サーバシステムとＤＮＳサーバとは相互接続しており、
利用者がＩＰネットワークと接続して利用しうるＩＰ電話サービスとは異なり、サーバシステムが有する付加的なＩＰ電話サービス情報が、ＩＰ通信端末に送信される際のＩＰ電話付加サービス提供方法であって、
第１のＳＩＰサーバは、利用者の認証依頼を表す認証依頼情報を管理サーバに送信する第１工程と、
管理サーバは、第１のＳＩＰサーバより認証依頼情報を受信し、認証手段が第２の記憶手段より加入者のサービス利用条件を参照することで認証是認結果を出力し、認証是認結果をアプリケーションサーバに送信する第２工程と、
アプリケーションサーバは、管理サーバより認証是認結果を受信し、第１の記憶手段よりＩＰ電話サービス情報を参照する第３工程と、
第１のＳＩＰサーバは、ＤＮＳサーバを検索して、第２のＳＩＰサーバにルーティングする第４工程と、
アプリケーションサーバは、ＤＮＳサーバを介してＩＰ電話サービス情報をＩＰ通信端末に送信する第５工程とを有することを特徴とするＩＰ電話付加サービス提供方法。
【請求項２】
プロトコルの種類の異なるネットワーク同士を相互接続する接続手段と、発信者の有する通信端末は各々電話網と接続しており、前記ＩＰネットワークと所定の情報を送受信するための電話網システムを形成しており、
接続手段により、電話網と前記ＩＰネットワークとは相互接続しており、
発信者の通信端末より利用者の前記ＩＰ通信端末に発信が行われる際のＩＰ電話付加サービス提供方法であって、
接続手段は、通信端末より発信される電話番号をドメイン名に変換し、前記ＤＮＳサーバを検索し、前記第１のＳＩＰサーバをルーティングする工程を、前記第１工程を行う前に有することを特徴とする請求項１に記載のＩＰ電話付加サービス提供方法。
【請求項３】
発信者の有するＩＰ通信端末は前記ＩＰネットワークに接続しており、ＩＰ電話サービス情報を送受信するためのＩＰネットワークシステムを形成しており、
発信者のＩＰ通信端末より利用者の前記ＩＰ通信端末に発信が行われる際のＩＰ電話付加サービス提供方法であって、
前記第２のＳＩＰサーバは、前記ＤＮＳサーバを検索し、前記第１のＳＩＰサーバをルーティングする工程を、前記第１工程を行う前に有することを特徴とする請求項１に記載のＩＰ電話付加サービス提供方法。
【請求項４】
前記ＤＮＳサーバと、利用者の有する第２のＩＰ通信端末と、第３のＳＩＰサーバは各々第２のＩＰネットワークと接続しており、ＩＰ電話サービス情報を送受信するための第２のＩＰネットワークシステムを形成しており、
第２のＩＰネットワークシステムと前記ＩＰネットワークシステムとは相互接続しており、
利用者がＩＰネットワークと接続して利用しうるＩＰ電話サービスとは異なり、サーバシステムが有する付加的なＩＰ電話サービス情報が、第２のＩＰ通信端末に送信される際のＩＰ電話付加サービス提供方法であって、
前記第５工程にて、前記アプリケーションサーバが、前記ＤＮＳサーバを介してＩＰ電話サービス情報を前記ＩＰ通信端末に送信することができないときに、前記第１のＳＩＰサーバは、前記ＤＮＳサーバを検索して、第３のＳＩＰサーバにルーティングする工程と、
前記アプリケーションサーバは、前記ＤＮＳサーバを介してＩＰ電話サービス情報を第２のＩＰ通信端末に送信する工程とを有することを特徴とする請求項１から３の何れか１項に記載のＩＰ電話付加サービス提供方法。
【請求項５】
前記ＩＰ電話サービスは、着信拒否サービスであり、
前記ＩＰ電話サービス情報は、着信拒否サービスを表す着信拒否サービス情報であることを特徴とする請求項１から４の何れか１項に記載のＩＰ電話付加サービス提供方法。
【請求項６】
前記ＩＰ電話サービスは、フリーダイヤルサービスであり、前記ＩＰ電話サービス情報は、フリーダイヤルサービスを表すフリーダイヤルサービス情報であることを特徴とする請求項１から４の何れか１項に記載のＩＰ電話付加サービス提供方法。
【請求項７】
前記ＩＰ電話サービスは、追っかけ電話サービスであり、
前記ＩＰ電話サービス情報は、追っかけ電話サービスを表す追っかけ電話サービス情報であることを特徴とする請求項１から４の何れか１項に記載のＩＰ電話付加サービス提供方法。
【発明の詳細な説明】
【０００１】
【発明の属する技術分野】
本発明は、ＩＰ電話付加サービス提供方法に関するものであり、特にＩＰネットワークを利用するＩＰ電話サービスにおいて、ＤＮＳサーバ検索結果から一旦サービス提供事業者を経由し認証することで、加入しているＩＳＰのサービスメニューに限定されずにＩＰ電話付加サービスを行えるようにするＩＰ電話付加サービス提供方法に関するものである。
【０００２】
【従来の技術】
ＩＰネットワークを利用してＩＰ電話サービスを実現する場合、ＤＮＳ機能を用いて電話番号からＩＰアドレスを検索することは、ＩＰネットワーク上のさまざまな着信先に接続する手段となる。その接続手段に関して一例として、特許文献１、２には、電話網に接続された電話機からＩＰ電話機に電話をかけると、その途中で接続先の電話番号をＩＰアドレスに変換され、相手方のＩＰ電話機に接続することを可能とする技術内容が記載されている。
【０００３】
図４に前記接続手段を利用したＩＰ電話サービスの提供を行うＩＰネットワークシステムのシステム構成図を示す。図４を参照すると、従来のシステムは、端末２１５からダイヤルされた電話番号がＩＰ電話番号であることを電話網２２０の交換機２３０が識別するとゲートウェイ２１１に接続し、ゲートウェイ２１１は電話番号をドメイン名に変換し、ＤＮＳサーバ２１２を検索する。ＤＮＳサーバ２１２はＵＲＩをゲートウェイ２１１に返送し、ゲートウェイ２１１はＵＲＩを基に該当するＳＩＰサーバ２１３のＩＰアドレスとポート番号を取得し、アドレスとポート番号に従ってＳＩＰサーバ２１３へルーティングする。ＳＩＰサーバ２１３は、該当する端末２１４にルーティングして通話を実現する。しかし、従来は次のような問題点があった。
【０００４】
まずＩＰ技術を利用した新しい付加サービスを実現するに当たり、該サービスを提供することが可能なサービス事業者は、ＩＰ電話サービスのためのネットワークを有する通信事業者のみに制限されてしまう。
また、サービスを受けることが出来るユーザは、前記通信事業者と接続してＩＰ電話サービスを提供するＩＳＰに加入しているユーザに限定されてしまう。
【０００５】
次に、従来の公衆網で行なわれるサービスについて問題点を説明すると、まずフリーダイヤルサービスについてであるが、現フリーダイヤルは、フリーダイヤル専用ダイヤルが準備され、不特定多数からの着信がすべて着信課金となってしまう。これでは特定の人からだけをフリーダイヤルの対象とすることができない。
また、不特定多数からの着信に応答しない場合、留守番サービスに接続するサービスはあるが、特定の人以外からだけを留守番サービスに接続することはできない。このように、発信者と着信者の組み合わせで付加サービスを実施することができない。
【０００６】
【特許文献１】
特開２００２−２３７９０７号公報
【特許文献２】
特開２００２−２５２６５５号公報
【０００７】
【発明が解決しようとする課題】
以上の点を鑑みて本発明では、既存電話網とＩＰネットワークを相互接続する設備を所有しない通信事業者や契約加入者を持たないサービス事業者であっても希望する任意の加入者にサービスを提供できるＩＰ電話付加サービス提供方法を提供することを目的とする。
【０００８】
また、あるＩＳＰと契約している加入者が前記契約を継続したままで、気に入ったサービスがあれば他事業者のサービスを受けることができるＩＰ電話付加サービス提供方法を提供することを目的とする。
【０００９】
また、加入者毎（着信者、発信者、発着者の組み合わせ）に付加サービスを実施することができるＩＰ電話付加サービス提供方法を提供することを目的とする。
【００１０】
【課題を解決するための手段】
かかる目的を解決するため、請求項１に記載の発明は、ＩＰ電話サービスを表すＩＰ電話サービス情報を記憶する第１の記憶手段を有するアプリケーションサーバと、第１のＳＩＰサーバと、ＩＰ電話サービスを利用する利用者のサービス利用条件を記憶する第２の記憶手段及び利用者を認証する認証手段を有することで各利用者のサービス利用状況を管理する管理サーバとを有し、ＩＰ電話サービスを利用者に提供するためのサーバシステムを形成しており、ＤＮＳサーバと、利用者の有するＩＰ通信端末と、第２のＳＩＰサーバは各々ＩＰネットワークと接続しており、ＩＰ電話サービス情報を送受信するためのＩＰネットワークシステムを形成しており、サーバシステムとＤＮＳサーバとは相互接続しており、利用者がＩＰネットワークと接続して利用しうるＩＰ電話サービスとは異なり、サーバシステムが有する付加的なＩＰ電話サービス情報が、ＩＰ通信端末に送信される際のＩＰ電話付加サービス提供方法であって、第１のＳＩＰサーバは、利用者の認証依頼を表す認証依頼情報を管理サーバに送信する第１工程と、管理サーバは、第１のＳＩＰサーバより認証依頼情報を受信し、認証手段が第２の記憶手段より加入者のサービス利用条件を参照することで認証是認結果を出力し、認証是認結果をアプリケーションサーバに送信する第２工程と、アプリケーションサーバは、管理サーバより認証是認結果を受信し、第１の記憶手段よりＩＰ電話サービス情報を参照する第３工程と、第１のＳＩＰサーバは、ＤＮＳサーバを検索して、第２のＳＩＰサーバにルーティングする第４工程と、アプリケーションサーバは、ＤＮＳサーバを介してＩＰ電話サービス情報をＩＰ通信端末に送信する第５工程とを有することを特徴とする。
【００１１】
請求項２に記載の発明は、請求項１に記載の発明において、プロトコルの種類の異なるネットワーク同士を相互接続する接続手段と、発信者の有する通信端末は各々電話網と接続しており、前記ＩＰネットワークと所定の情報を送受信するための電話網システムを形成しており、接続手段により、電話網と前記ＩＰネットワークとは相互接続しており、発信者の通信端末より利用者の前記ＩＰ通信端末に発信が行われる際のＩＰ電話付加サービス提供方法であって、接続手段は、通信端末より発信される電話番号をドメイン名に変換し、前記ＤＮＳサーバを検索し、前記第１のＳＩＰサーバをルーティングする工程を、前記第１工程を行う前に有することを特徴とする。
【００１２】
請求項３に記載の発明は、請求項１に記載の発明において、発信者の有するＩＰ通信端末は前記ＩＰネットワークに接続しており、ＩＰ電話サービス情報を送受信するためのＩＰネットワークシステムを形成しており、発信者のＩＰ通信端末より利用者の前記ＩＰ通信端末に発信が行われる際のＩＰ電話付加サービス提供方法であって、前記第２のＳＩＰサーバは、前記ＤＮＳサーバを検索し、前記第１のＳＩＰサーバをルーティングする工程を、前記第１工程を行う前に有することを特徴とする。
【００１３】
請求項４に記載の発明は、請求項１から３の何れか１項に記載の発明において、前記ＤＮＳサーバと、利用者の有する第２のＩＰ通信端末と、第３のＳＩＰサーバは各々第２のＩＰネットワークと接続しており、ＩＰ電話サービス情報を送受信するための第２のＩＰネットワークシステムを形成しており、第２のＩＰネットワークシステムと前記ＩＰネットワークシステムとは相互接続しており、利用者がＩＰネットワークと接続して利用しうるＩＰ電話サービスとは異なり、サーバシステムが有する付加的なＩＰ電話サービス情報が、第２のＩＰ通信端末に送信される際のＩＰ電話付加サービス提供方法であって、前記第５工程にて、前記アプリケーションサーバが、前記ＤＮＳサーバを介してＩＰ電話サービス情報を前記ＩＰ通信端末に送信することができないときに、前記第１のＳＩＰサーバは、前記ＤＮＳサーバを検索して、第３のＳＩＰサーバにルーティングする工程と、前記アプリケーションサーバは、前記ＤＮＳサーバを介してＩＰ電話サービス情報を第２のＩＰ通信端末に送信する工程とを有することを特徴とする。
【００１４】
請求項５に記載の発明は、請求項１から４の何れか１項に記載の発明において、前記ＩＰ電話サービスは、着信拒否サービスであり、前記ＩＰ電話サービス情報は、着信拒否サービスを表す着信拒否サービス情報であることを特徴とする。
【００１５】
請求項６に記載の発明は、請求項１から４の何れか１項に記載の発明において、前記ＩＰ電話サービスは、フリーダイヤルサービスであり、前記ＩＰ電話サービス情報は、フリーダイヤルサービスを表すフリーダイヤルサービス情報であることを特徴とする。
【００１６】
請求項７に記載の発明は、請求項１から４の何れか１項に記載の発明において、前記ＩＰ電話サービスは、追っかけ電話サービスであり、前記ＩＰ電話サービス情報は、追っかけ電話サービスを表す追っかけ電話サービス情報であることを特徴とする。
【００１７】
【発明の実施の形態】
以下、本発明の実施の形態を図面を参照して詳細に説明する。
【００１８】
＜実施の形態１の構成＞
図１を参照してサービス事業者１００によるＩＰ電話付加サービス提供方法を実現するシステム構成を説明する。
【００１９】
図１を参照すると、実施の形態１のシステムは、ＩＰ電話サービス利用者が使用するＩＰ端末１０と、発信者が使用する端末２０と、ＤＮＳサーバ３０と、ゲートウェイ５０と、端末１０を有するＩＰ電話サービス利用者が属するＩＰネットワーク１１０と、ＩＰネットワーク１１０内に設定されるＳＩＰサーバ７０と、端末２０が属する既存電話網１２０と、既存交換機１３０と、サービスを提供するサービス事業者１００と、サービス事業者１００が設置するＳＩＰサーバ６０と、加入者管理サーバ４０、アプリケーションサーバ８０から構成されている。
【００２０】
ＩＰ端末１０は、既存電話機と既存の電話が接続できるターミナルアダプタを組み合わせて音声通信を可能とする装置やパーソナルコンピュータ等のＩＰネットワークを利用した音声通信を実現する装置である。
【００２１】
端末２０は、通常の電話機である。
【００２２】
ゲートウェイ５０は、既存電話網１２０とＩＰネットワーク１１０を相互に接続する機能と電話番号をドメイン名に変換する機能とＤＮＳサーバ３０を検索する機能を有する。
【００２３】
ＤＮＳサーバ３０は、ドメイン名に対応したＵＲＩやＩＰアドレス、ポート番号を問い合わせ先に返送する機能を有する。
【００２４】
ＳＩＰサーバ６０は、ＳＩＰサーバ７０にルーティングする機能とＤＮＳサーバ３０を検索する機能を有する。
【００２５】
ＳＩＰサーバ７０は、ＩＰ端末１０にルーティングする機能とＤＮＳサーバ３０を検索する機能を有する。
【００２６】
加入者管理サーバ４０は、加入者を認証する機能と、認証結果により、発信者と着信者の組み合わせでサービス提供要否と提供するサービスの種類を判定する機能を有する。
【００２７】
アプリケーションサーバ８０は、各種サービスを実施する機能を有する。
【００２８】
＜実施の形態１の動作＞
次に、図１を参照してサービス事業者１００によるＩＰ電話付加サービス提供方法の動作処理を説明する。
【００２９】
図１において、ＩＰ端末１０を利用するＩＰ電話サービス利用者はサービス事業者１００にサービス利用申し込みを行なう。サービス事業者１００はＤＮＳサーバ３０から自ＵＲＩが払い出されるように登録する。さらに、加入者管理サーバ４０にサービス利用者の認証設定と、サービス内容、サービス提供条件を設定する。
【００３０】
発信者は端末２０を使用してＩＰ電話サービス利用者のＩＰ端末１０へ発信すると、ＤＮＳサーバ３０が検索され、ＤＮＳサーバ３０はサービス事業者１００のＵＲＩをゲートウェイ５０に返送する。ゲートウェイ５０はＵＲＩを基にサービス事業者１００のＳＩＰサーバ６０のＩＰアドレスとポート番号を取得し、アドレスとポート番号に従ってＳＩＰサーバ６０へルーティングする。ＳＩＰサーバ６０では加入者管理サーバ４０の登録内容を参照し、認証がＯＫであれば、アプリケーションサーバ８０によって該当のサービスを提供する。
【００３１】
図１において端末１０を利用する加入者は、ＩＰネットワーク１１０を有するＩＳＰと契約しており、月額料金を払ってサービスを受けている。端末１０を利用する加入者は、ＩＰネットワーク１１０と相互接続する設備を所有しないサービス事業者１００が提供するサービスを受けたい場合、月額定額または従量制のサービス料金をＩＰネットワーク１１０を有するＩＳＰへ支払う。
【００３２】
ＩＰネットワーク１１０を有するＩＳＰは、一旦サービス事業者１００を経由するようにＤＮＳサーバ３０を設定すること、及びサービス事業者１００が提供するサービス料金を端末１０を利用する加入者から徴収することに対して、端末１０を利用する加入者が支払う何％かの対価をサービス事業者１００から得る。
【００３３】
従ってサービス事業者１００は加入者から料金徴収する業務をＩＳＰに代行してもらうため、運用費の削減と自身の業務の効率化を図れるし、ＩＳＰとしては新たな料金収入が得られるようになる。
【００３４】
＜実施の形態１の実施例１＞
実施の形態１において図１を参照して、サービス事業者１００の提供する着信拒否サービスの実施例の動作について詳細に説明する。
【００３５】
ＩＰネットワークを利用するＩＰ電話サービスにおいて図１を参照すると、端末１０を使用するＩＰ電話サービス利用者は、サービス事業者１００に着信拒否サービスの利用申し込みを行なう。サービス事業者１００は、ＩＰ端末１０宛ての検索結果として、ＤＮＳサーバ３０から自ＵＲＩが払い出されるように登録する。
【００３６】
さらに、加入者管理サーバ４０にＩＰ端末１０を使用するＩＰ電話サービス利用者は、着信拒否サービスに加入していることを登録する。また着信を許可する番号を登録し、登録されていない場合、留守番電話に接続することを設定する。端末２０の番号は許可されていないとする。
【００３７】
端末２０からＩＰ端末１０に発信するとＤＮＳサーバ３０が検索され、ＤＮＳサーバ３０はサービス事業者１００のＵＲＩをゲートウェイ５０に返送する。ゲートウェイ５０はＵＲＩを基にサービス事業者１００のＳＩＰサーバ６０のＩＰアドレスとポート番号を取得し、アドレスとポート番号に従ってＳＩＰサーバ６０へルーティングする。
【００３８】
ＳＩＰサーバ６０では加入者管理サーバ４０の登録内容を参照し、認証がＯＫとなると、アプリケーションサーバ８０に処理が移行される。アプリケーションサーバ８０ではサービスの種類を検索し、着信拒否サービスを提供する必要があることがわかる。また端末２０からの着信は拒否することを認識し、アプリケーションサーバ８０の留守番サービスに接続される。
【００３９】
＜実施の形態１の実施例２＞
次に、実施の形態１において図１を参照して、サービス事業者１００の提供するフリーダイヤルサービスの実施例の動作について詳細に説明する。
【００４０】
ＩＰネットワークを利用するＩＰ電話サービスにおいて図１を参照すると、端末１０を使用するＩＰ電話サービス利用者は、サービス事業者１００にフリーダイヤルサービスの利用申し込みを行なう。サービス事業者１００はフリーダイヤル番号を所有しているものとする。
【００４１】
加入者管理サーバ４０にＩＰ端末１０を使用するサービス利用者は、フリーダイヤルサービスに加入していることを登録する。またフリーダイヤルサービスを提供するのは発信者番号が端末２０の番号の場合であることを設定する。
【００４２】
端末２０がサービス事業者１００のフリーダイヤルサービス番号に発信するとＤＮＳサーバ３０が検索され、ＤＮＳサーバ３０はサービス事業者１００のＵＲＩをゲートウェイ５０に返送する。ゲートウェイ５０はＵＲＩを基にサービス事業者１００のＳＩＰサーバ６０のＩＰアドレスとポート番号を取得し、アドレスとポート番号に従ってＳＩＰサーバ６０へルーティングする。ＳＩＰサーバ６０に接続後、端末２０はＩＰ端末１０へダイヤルする。
【００４３】
ＳＩＰサーバ６０では加入者管理サーバ４０の登録内容を参照し、認証がＯＫであれば、アプリケーションサーバ８０からの指示により、ＳＩＰサーバ６０は、ＳＩＰサーバ７０にルーティングする。ＳＩＰサーバ７０はＩＰ電話１０を呼び出す。
【００４４】
＜実施の形態２の構成＞
また図２を参照してサービス事業者１００によるＩＰ電話付加サービス提供方法を実現するシステム構成の別例を説明する。
【００４５】
図２を参照すると、実施の形態２のシステムは、ＩＰ電話サービス利用者が自宅で使用するＩＰ端末１０と、発信者が使用する端末２０と、ＤＮＳサーバ３０と、ゲートウェイ５０と、端末１０を有するＩＰ電話サービス利用者が属するＩＰネットワーク１１０と、ＩＰネットワーク１１０内に設定されるＳＩＰサーバ７０と、端末２０が属する既存電話網１２０と、既存交換機１３０と、サービスを提供するサービス事業者１００と、サービス事業者１００が設置するＳＩＰサーバ６０と、加入者管理サーバ４０、アプリケーションサーバ８０と、ＩＰ電話サービス利用者が会社で使用するＩＰ端末１１と、端末１１が属するＩＰネットワーク１４０と、ＩＰネットワーク１４０に設置されるＳＩＰサーバ９０から構成されている。
【００４６】
ＩＰ端末１０及び１１は、既存電話機と既存の電話が接続できるターミナルアダプタを組み合わせて音声通信を可能とする装置やパーソナルコンピュータ等のＩＰネットワークを利用した音声通信を実現する装置である。
【００４７】
端末２０は、通常の電話機である。
【００４８】
ゲートウェイ５０は、既存電話網１２０とＩＰネットワーク１１０を相互に接続する機能と電話番号をドメイン名に変換する機能とＤＮＳサーバ３０を検索する機能を有する。
【００４９】
ＤＮＳサーバ３０は、ドメイン名に対応したＵＲＩやＩＰアドレス、ポート番号を問い合わせ先に返送する機能を有する。
【００５０】
ＳＩＰサーバ６０は、ＳＩＰサーバ７０及びＳＩＰサーバ９０にルーティングする機能とＤＮＳサーバ３０を検索する機能を有する。
【００５１】
ＳＩＰサーバ７０は、ＩＰ端末１０にルーティングする機能とＤＮＳサーバ３０を検索する機能を有する。
【００５２】
ＳＩＰサーバ９０は、ＩＰ端末１１にルーティングする機能とＤＮＳサーバ３０を検索する機能を有する。
【００５３】
加入者管理サーバ４０は、加入者を認証する機能と、認証結果により、発信者と着信者の組み合わせでサービス提供要否と提供するサービスの種類を判定する機能を有する。
【００５４】
アプリケーションサーバ８０は、各種サービスを実施する機能を有する。
【００５５】
＜実施の形態２の動作＞
次に、図２を参照してサービス事業者１００によるＩＰ電話付加サービス提供方法の動作処理を説明するが、特にサービス事業者１００が有する追っかけ電話サービスを例に採り、その実施例の動作について詳細に説明する。
【００５６】
ＩＰネットワークを利用するＩＰ電話サービスにおいて図２を参照すると、ＩＰ端末１０を使用するＩＰ電話サービス利用者はサービス事業者１００に追っかけ電話サービスの利用申し込みを行なう。呼び出しの順番として第一呼び出しは会社のＩＰ端末１１、第二呼び出しは自宅のＩＰ端末１０と登録しておく。サービス事業者１００はＩＰ端末１０宛ての検索結果として、ＤＮＳサーバ３０を検索した時、自ＵＲＩが払い出されるように登録しておく。
【００５７】
さらに、加入者管理サーバ４０にＩＰ端末１０を利用するサービス利用者は追っかけ電話サービスに加入していることを登録する。また追っかけ電話サービスを行なうのはすべての発信者番号であり、会社、自宅の順番に呼び出すことを登録する。
【００５８】
任意の発信者がＩＰ電話サービス利用者に発信すると、ダイヤルされた電話番号がＩＰ電話番号であることを既存電話網１２０の交換機１３０が識別するとゲートウェイ５０に接続し、ゲートウェイ５０は電話番号をドメイン名に変換し、ＤＮＳサーバ３０を検索する。
【００５９】
ＤＮＳサーバ３０はサービス事業者１００のＵＲＩをゲートウェイ５０に返送する。ゲートウェイ５０はＵＲＩを基にＤＮＳサーバ３０を検索し、最終的にサービス事業者１００のＳＩＰサーバ６０のＩＰアドレスとポート番号を取得し、アドレスとポート番号に従ってＳＩＰサーバ６０へルーティングする。
【００６０】
ＳＩＰサーバ６０では加入者管理サーバ４０の登録内容を参照し、認証がＯＫとなると、アプリケーションサーバ８０に処理が移行される。アプリケーションサーバ８０ではサービスの種類を検索し、追っかけ電話サービスを提供する必要があることがわかる。発信者番号によらずに提供するサービスであることを認識し、アプリケーションサーバ８０は第一呼び出し番号として会社のＩＰ電話１１が登録されていることを知る。アプリケーションサーバ８０からの指示により、ＳＩＰサーバ６０はＤＮＳサーバ３０を検索し、ＳＩＰサーバ９０にルーティングする。
【００６１】
ＳＩＰサーバ９０は会社のＩＰ電話１１を呼び出す。着信が行なわれない場合、アプリケーションサーバ８０はＳＩＰサーバ６０へ第二呼び出しに登録されている自宅のＩＰ電話１０の呼び出しを指示する。ＳＩＰサーバ６０はＳＩＰサーバ７０にルーティングし、ＳＩＰサーバ７０はＩＰ電話１０を呼び出す。
【００６２】
図２において端末１０を利用する加入者は、ＩＰネットワーク１１０を有するＩＳＰと契約しており、月額料金を払ってサービスを受けている。端末１０を利用する加入者は、ＩＰネットワーク１１０と相互接続する設備を所有しないサービス事業者１００が提供するサービスを受けたい場合、月額定額または従量制のサービス料金をＩＰネットワーク１１０を有するＩＳＰへ支払う。
【００６３】
ＩＰネットワーク１１０を有するＩＳＰは、一旦サービス事業者１００を経由するようにＤＮＳサーバ３０を設定すること、及びサービス事業者１００が提供するサービス料金を端末１０を利用する加入者から徴収することに対して、端末１０を利用する加入者が支払う何％かの対価をサービス事業者１００から得る。
【００６４】
従ってサービス事業者１００は加入者から料金徴収する業務をＩＳＰに代行してもらうため、運用費の削減と自身の業務の効率化を図れるし、ＩＳＰとしては新たな料金収入が得られるようになる。
【００６５】
なお、実施の形態２のシステム構成においても実施の形態１の実施例１、２で説明したような、サービス事業者の着信拒否サービス、フリーダイヤルサービスを適用することが可能である。
【００６６】
＜実施の形態３の構成＞
次に、発信側が既存電話網ではなく、ＩＰネットワークを利用している場合について、図３を参照してサービス事業者１００によるＩＰ電話付加サービス提供方法を実現するシステム構成の別例を説明する。
【００６７】
図３を参照すると、実施の形態３のシステムは、ＩＰ電話サービス利用者が自宅で使用するＩＰ端末３１０と、発信者が使用するＩＰ端末３２０と、ＤＮＳサーバ３３０と、端末３１０、３２０を有するＩＰ電話サービス利用者が属するＩＰネットワーク１１０と、ＩＰネットワーク１１０内に設定されるＳＩＰサーバ３７０と、サービスを提供するサービス事業者４００と、サービス事業者４００が設置するＳＩＰサーバ３６０と、加入者管理サーバ３４０、アプリケーションサーバ３８０と、ＩＰ電話サービス利用者が会社で使用するＩＰ端末３１１と、端末３１１が属するＩＰネットワーク１４０と、ＩＰネットワーク１４０に設置されるＳＩＰサーバ３９０から構成されている。
【００６８】
ＩＰ端末３１０、３１１、３２０は、既存電話機と既存の電話が接続できるターミナルアダプタを組み合わせて音声通信を可能とする装置やパーソナルコンピュータ等のＩＰネットワークを利用した音声通信を実現する装置である。
【００６９】
ＤＮＳサーバ３３０は、ドメイン名に対応したＵＲＩやＩＰアドレス、ポート番号を問い合わせ先に返送する機能を有する。
【００７０】
ＳＩＰサーバ３６０は、ＳＩＰサーバ３７０及びＳＩＰサーバ３９０にルーティングする機能とＤＮＳサーバ３３０を検索する機能を有する。
【００７１】
ＳＩＰサーバ３７０は、ＩＰ端末３１０にルーティングする機能とＤＮＳサーバ３３０を検索する機能を有する。
【００７２】
ＳＩＰサーバ３９０は、ＩＰ端末３１１にルーティングする機能とＤＮＳサーバ３３０を検索する機能を有する。
【００７３】
加入者管理サーバ３４０は、加入者を認証する機能と、認証結果により、発信者と着信者の組み合わせでサービス提供要否と提供するサービスの種類を判定する機能を有する。
【００７４】
アプリケーションサーバ３８０は、各種サービスを実施する機能を有する。
【００７５】
＜実施の形態３の動作＞
次に、図３を参照してサービス事業者４００によるＩＰ電話付加サービス提供方法の動作処理を説明するが、特にサービス事業者４００が有する追っかけ電話サービスを例に採り、その実施例の動作について詳細に説明する。
【００７６】
ＩＰネットワークを利用するＩＰ電話サービスにおいて図３を参照すると、ＩＰ端末３１０を使用するＩＰ電話サービス利用者はサービス事業者４００に追っかけ電話サービスの利用申し込みを行なう。呼び出しの順番として第一呼び出しは会社のＩＰ端末３１１、第二呼び出しは自宅のＩＰ端末３１０と登録しておく。サービス事業者４００はＩＰ端末３１０宛ての検索結果として、ＤＮＳサーバ３３０を検索した時、自ＵＲＩが払い出されるように登録しておく。
【００７７】
さらに、加入者管理サーバ３４０にＩＰ端末３１０を利用するサービス利用者は追っかけ電話サービスに加入していることを登録する。また追っかけ電話サービスを行なうのはすべての発信者番号であり、会社、自宅の順番に呼び出すことを登録する。
【００７８】
任意の発信者がＩＰ端末３２０からＩＰ端末３１０に発信すると、ＤＮＳサーバ３３０を検索する。
【００７９】
ＤＮＳサーバ３３０はＩＰ端末３２０にサービス事業者４００のＵＲＩを返送する。ＩＰ端末３２０はＵＲＩを基にＤＮＳサーバ３３０を検索し、最終的にサービス事業者４００のＳＩＰサーバ３６０のＩＰアドレスとポート番号を取得し、アドレスとポート番号に従ってＳＩＰサーバ３６０へルーティングする。
【００８０】
ＳＩＰサーバ３６０では加入者管理サーバ３４０の登録内容を参照し、認証がＯＫとなると、アプリケーションサーバ３８０に処理が移行される。アプリケーションサーバ３８０ではサービスの種類を検索し、追っかけ電話サービスを提供する必要があることがわかる。発信者番号によらずに提供するサービスであることを認識し、アプリケーションサーバ３８０は第一の呼び出し番号として会社のＩＰ電話３１１が登録されていることを知る。アプリケーションサーバ３８０からの指示により、ＳＩＰサーバ３６０はＤＮＳサーバ３３０を検索し、ＳＩＰサーバ３９０にルーティングする。
【００８１】
ＳＩＰサーバ３９０は会社のＩＰ電話３１１を呼び出す。着信が行なわれない場合、アプリケーションサーバ３８０はＳＩＰサーバ３６０へ第二呼び出しに登録されている自宅のＩＰ電話３１０の呼び出しを指示する。ＳＩＰサーバ３６０はＳＩＰサーバ３７０にルーティングし、ＳＩＰサーバ３７０はＩＰ電話３１０を呼び出す。
【００８２】
図３において端末３１０を利用する加入者は、ＩＰネットワーク１１０を有するＩＳＰと契約しており、月額料金を払ってサービスを受けている。端末３１０を利用する加入者は、ＩＰネットワーク１１０と相互接続する設備を所有しないサービス事業者４００が提供するサービスを受けたい場合、月額定額または従量制のサービス料金をＩＰネットワーク１１０を有するＩＳＰへ支払う。
【００８３】
ＩＰネットワーク１１０を有するＩＳＰは、一旦サービス事業者４００を経由するようにＤＮＳサーバ３３０を設定すること、及びサービス事業者４００が提供するサービス料金を端末３１０を利用する加入者から徴収することに対して、端末３１０を利用する加入者が支払う何％かの対価をサービス事業者４００から得る。
【００８４】
従ってサービス事業者４００は加入者から料金徴収する業務をＩＳＰに代行してもらうため、運用費の削減と自身の業務の効率化を図れるし、ＩＳＰとしては新たな料金収入が得られるようになる。
【００８５】
なお、実施の形態３のシステム構成においても実施の形態１の実施例１、２で説明したような、サービス事業者の着信拒否サービス、フリーダイヤルサービスを適用することが可能である。
【００８６】
【発明の効果】
以上の説明から本発明は以下の効果をもたらす。
【００８７】
第一の効果は、既存電話網とＩＰネットワークを相互接続する設備を所有しない通信事業者や契約加入者を持たないサービス事業者であっても希望する任意の加入者にサービスを提供できることである。
【００８８】
第二の効果は、あるＩＳＰと契約している加入者が前記契約を継続したままで、気に入ったサービスがあれば他事業者のサービスを受けることができることである。
【００８９】
第三の効果は、加入者毎（着信者、発信者、発着者の組み合わせ）に付加サービスを実施することができることである。
【図面の簡単な説明】
【図１】実施の形態１のＩＰ電話付加サービス提供方法を行うＩＰネットワークシステムのシステム構成図である。
【図２】実施の形態２のＩＰ電話付加サービス提供方法を行うＩＰネットワークシステムのシステム構成図である。
【図３】実施の形態３のＩＰ電話付加サービス提供方法を行うＩＰネットワークシステムのシステム構成図である。
【図４】従来のＩＰ電話サービスの提供を行うＩＰネットワークシステムのシステム構成図である。
【符号の説明】
１０、１１、２０、３１０、３１１、３２０、２１４、２１５  端末
１２０、２２０  電話網
１３０、２３０  交換機
１１０、１４０  ＩＰネットワーク
５０、２１１  ゲートウェイ
７０、９０、３７０、３９０、２１３  ＳＴＰサーバ
３０、３３０、２１２  ＤＮＳサーバ
１００、４００、２２０  サービス事業者
４０、３４０  加入者管理サーバ
８０、３８０  アプリケーションサーバ
６０、３６０  ＳＴＰサーバ
【図１】
2004336663.tif 000003
【図２】
2004336663.tif 000004
【図３】
2004336663.tif 000005
【図４】
2004336663.tif 000006